【事件の表示】
　特願２０００−３０２５２「光ディスクの記録装置」拒絶査定に対する審判事件〔平成１２年８月１１日出願公開、特開２０００−２２２８１２、請求項の数（２）〕について、次のとおり審決する。
【結　論】
　原査定を取り消す。
　本願の発明は、特許すべきものとする。
【理　由】
［１］　本願発明
　本願は、平成２年１２月２１日に出願した特願平２−４１３３５９号（優先日平成２年１月１０日：特願平２−１１６１７号）の一部を平成１２年２月２日に新たな特許出願としたものであって、その請求項１，２に係る発明は、平成１４年１１月１４日付けの手続補正書によって補正された明細書及び図面の記載からみて、特許請求の範囲の請求項１，２に記載されたとおりと認められる（以下、本願発明１，２という。）は次のとおりである。　
「【請求項１】　情報信号が記録される第１の記録領域と当該第１の記録領域に記録された情報信号の目録情報が記録される第２の記録領域を有する記録可能な光ディスクが装着され、装着された光ディスクに情報信号の記録を行う記録手段を有する本体と、
　上記本体に回動自在に設けられた蓋体と、
　上記蓋体の解放操作を行う解放操作ボタンと、
　上記蓋体を上記本体に対して閉じた位置に保持するとともに上記開放操作ボタンが操作されることによって上記蓋体の保持が解除されるロック手段と、
　記録開始操作ボタンが操作されることによって上記ロック手段による上記蓋体の保持が解除されることを阻止するように操作され、上記記録手段による記録動作中、上記ロック手段による上記蓋体の保持が解除されることを阻止する阻止手段と、
　上記記録手段による上記装着された光ディスクへの記録動作を開始させるとともに、操作されることによって上記阻止手段を操作して上記ロック手段による上記蓋体のロック解除を阻止させる記録操作ボタンと、
　上記記録手段による上記装着された光ディスクへの記録動作を停止させる停止操作ボタンと、
　上記記録開始操作ボタン及び上記停止操作ボタンによる操作に基づいて上記記録手段による上記装着された光ディスクへの記録動作を制御し、上記記録手段による記録動作中及び上記停止操作ボタンが操作されることによって上記記録手段による上記装着された光ディスクの第１の記録領域への情報信号の記録を終了させた後、上記記録手段による上記第１の記録領域に記録された情報信号に対する目録情報を上記第２の記録領域に記録する記録操作が終了するまでの期間、上記ロック手段による上記蓋体の保持が解除されることを阻止させ、上記目録情報の上記第２の記録領域への記録終了後に上記阻止手段による上記ロック手段の阻止状態を解除する制御手段を備えている光ディスクの記録装置。
　【請求項２】　情報信号が記録される第１の記録領域と当該第１の記録領域に記録された情報信号の目録情報が記録される第２の記録領域を有する記録可能な光ディスクが装着され、装着された光ディスクに情報信号の記録を行う記録手段と、
　上記装着された光ディスクのイジェクトを行うイジェクト手段と、
　上記イジェクト手段による上記装着された光ディスクのイジェクト動作を阻止する阻止手段と、
　上記記録手段による上記装着された光ディスクへの記録動作を開始させるとともに、操作されることによって上記阻止手段を操作して上記イジェクト手段によるイジェクト動作を阻止させる記録操作ボタンと、
　上記記録手段による上記装着された光ディスクへの記録動作を停止させる停止操作ボタンと、
　上記記録開始操作ボタン及び上記停止操作ボタンによる操作に基づいて上記記録手段による上記装着された光ディスクへの記録動作を制御し、上記記録手段による記録動作中及び上記停止操作ボタンが操作されることによって上記記録手段による上記装着された光ディスクの第１の記録領域への情報信号の記録を終了させた後、上記記録手段による上記第１の記録領域に記録された情報信号に対する目録情報を上記第２の記録領域に記録する記録操作が終了するまでの期間、上記イジェクト手段による上記装着された光ディスクのイジェクトを阻止するように上記阻止手段を制御し、上記目録情報の上記第２の記録領域への記録が終了した後に上記阻止手段による上記ロック手段の阻止状態を解除する制御手段を備えている光ディスクの記録装置。」
　
［２］刊行物
　これに対して、当審の拒絶の理由に引用した刊行物１の特開昭６３−２２２３７９号公報には次の記載がある。
「Ｅ　問題点を解決するための手段
　本発明は、上述の問題点を解決するために、予め絶対アドレスを与えた記録可能ディスクにプログラム領域とリードイン領域を設け、上記プログラム領域に演奏情報等のデータを記憶するとともに、上記プログラム領域に記録するデータの無入力状態を検出して上記プログラム領域に記録された各情報単位を順番に示す目録情報を上記リードイン領域に自動的に記録し、上記リードイン領域の目録情報に基づいて上記プログラム領域の各情報単位を順番に再生するディスク記録再生装置において、上記リードイン領域から再生される目録情報を記憶する目録情報記憶手段と、上記プログラム領域の再生動作中に操作入力を受け付けることにより、再生中の情報単位をその前の情報単位と連続するものとして、上記記録目録情報記憶手段に記憶されている目録情報を訂正する目録情報訂正手段と、上記目録情報の訂正を指示する操作入力手段と、訂正済の目録情報を上記目録情報記憶手段から読み出して記録可能ディスクのリードイン領域に再記録する記録手段とを設けたことを特徴としている。
　Ｆ　作用
　本発明では、記録可能ディスクのプログラム領域に記録した各情報単位を順番に示す目録情報をリードイン領域から再生して目録記憶手段に記憶し、上記目録情報に基づいて上記プログラム領域の各情報単位の再生動作を行う。再生動作中に目録情報・・・・・・・・。そして、訂正済の目録情報が上記目録情報記憶手段から読み出して記録可能ディスクのリードイン領域に再記録される。
　Ｇ　実施例
　以下に示す実施例は、磁気光学効果を有する垂直磁化膜を記録媒体とする光磁気ディスクを上述の第７図に示した記録フォーマットの記録可能ディスク１として用いて、この記録可能ディスク１を線速度を一定（ＣＬＶ）で回転駆動して、コンパクトディスク（ＣＤ）において規格化された上記第８図に示したデータフォーマットの演奏情報の記録再生を行うディスク記録再生装置に本発明を適用したものである。
　Ｇ−１　ディスク記録再生装置の構成
　このディスク記録再生装置は、第１図のブロック図に示すように、ディスクをモータ１１にて回転駆動される記録可能ディスク１を挟んで対向するように設置された光学ヘッド１２と磁石１３を備え、上記光学ヘッド１２がエンボス再生アンプ１４とＭＯ再生アンプ１５に接続されているとともに、記録アンプ２７に接続されている。
　上記光学ヘッド１２は、・・・・・・・・・・レーザ光を照射することにより情報の記録再生を行う。また、上記磁石１３は、磁気光学効果を利用して上記記録再生可能ディスク１に情報を記録あるいは消去するための磁界を与えるもので、記録モードと消去モードとで磁極の向きが反転されるようになっている。
　上記光学ヘッド１１により上記記録可能ディスク１から読み出される再生ＲＦ信号のうち、上記エンボス領域４からの再生信号は上記エンボス再生アンプ１４を介して・・・・・・・・・・・・・・・。また、上記記録可能ディスク１のリードイン領域６から再生されるＴＯＣ情報が上記再生処理回路１８からＴＯＣバッファメモリ１９に供給され、該バッファメモリ１９に記憶されるようになっている。
　また、このディスク記録再生装置において、上記記録可能ディスク１のプログラム領域６に記録する音声信号Ｓｉは、信号入力端子２３から・・・・・・・上記光学ヘッド１２に供給され、上記記録可能ディスク１のプログラム領域６に記録されるようになっている。
　ここで、上記Ａ／Ｄコンバータ２５の出力は、無音部検出信号として上記マイクロコンピュータ１７にも供給されている。また、上記マイクロコンピュータ１７には、制御データ入力用の操作キー２８や各種データ表示用の表示器２９が接続されている。
　Ｇ−２　ディスク記録再生装置の動作
　このディスク記録再生装置は、第２図のフローチャートに示すように、動作開始時に、記録可能ディスク１が装着（ステップ１０１）されると、先ず、上記記録可能ディスク１のリードイン領域７に記録されているＴＯＣ情報を上記光学ヘッド１２に読み取って再生しＴＯＣバッファメモリ１９に記憶する（ステップ１０２）して待機状態となる。
　そして、このディスク記録再生装置の上記マイクロコンピュータ１７は、そのキー入力処理部４０にて、上記操作キー２８の操作状態を監視して制御データの入力を受け付ける待機状態において、第３図のフローチャートに示すように、ＲＥＣキーの操作を受け付ける（ステップ２０１）と、・・・・・・・。その後、ＳＴＯＰキーの操作状態を監視（ステップ２０７）し、・・・・・・ＳＴＯＰキーの操作を受け付けときには、記録モードを解除（ステップ２０９）し、ＴＯＣバッファメモリ１９内のＴＯＣ情報を整理（ステップ２１０）してから、待機状態となる。・・・・・・・絶対時間情報の小さい順に上記曲番号を並べ替える等の処理を行う。
　さらに、このディスク再生装置は、上記待機状態において、上記操作キー２８の操作により、エジェクトモードが指定されると、第４図のフローチャートに示すように、先ず、上記ＴＯＣバッファメモリ１９に記憶されているＴＯＣ情報を上記光学ヘッド１２にて上記記録可能ディスク１のリードイン領域７に記録（ステップ３０１）してから、エジェクト動作（ステップ３０２）を行って動作を終了する。」（第３頁左下欄第１３行〜第５頁左下欄第９行）
「そして、上記ステップ４０７において、上記ＳＴＯＰキーの操作を受け付けると、リンクモードを解除（ステップ４０８）して待機状態となる。
　この待機状態において、エジェクトモードを指することにより、上述の第４図のフローチャートに示したエジェクトモードの動作により、上記ＴＯＣバッファメモリ１９に記憶されている訂正済のＴＯＣ情報が上記光学ヘッド１２にて上記記録可能ディスク１のリードイン領域７に再記録（ステップ３０１）にされてから、エジェクト動作（ステップ３０２）に行って動作を終了する。
　上記リンクモード及びエジェクトモードの動作によって、上記記録可能ディスク１のリードイン領域７には、開示時刻Ａ３から終了時刻Ａ６までを第２曲目の演奏情報として、第５図の（Ｂ）に示すように、プログラム領域に記録されている第１曲目から第４曲目までの各演奏情報に曲番号（ＴＮＯ）を正しく割り当てたＴＯＣ情報が再記録される。」（第６頁左下欄第９行〜右下欄第１３行）
　
　上記の記載から、刊行物１には、下記の発明（以下、刊行物１の発明という。）が記載されていると認められる。　
「演奏情報等のデータが記録されるプログラム領域と上記プログラム領域に記録された各情報単位に順番に示す目録情報が記録されたリードイン領域を有する記録可能な光ディスクが装着され、装着された光磁気ディスクに演奏情報等のデータの記録再生を行う光学ヘッド及び磁石と、
　上記装着された光磁気ディスクのエジェクトを行う手段と、
　上記目録情報が上記リードイン領域へ記録されてから上記エジェクトを行わせる手段と、
　上記光学ヘッドと磁石による上記装着された光磁気ディスクへの記録動作を開始させるＲＥＣキーと、
　上記光学ヘッドと磁石による上記装着された光磁気ディスクへの記録モードを解除させるＳＴＯＰキーと、
　上記ＲＥＣキー及びＳＴＯＰキーの操作により上記光学ヘッドと磁石による上記装着された光磁気ディスクへの記録動作を制御し、上記光学ヘッド及び磁石による記録動作中及び上記ＳＴＯＰキーが操作されることによって上記光学ヘッド及び磁石による上記装着された光磁気ディスクのプログラム領域への演奏情報等のデータの記録モードを解除し、上記光学ヘッド及び磁石による上記プログラム領域に記録された演奏情報等のデータに対する目録情報を上記リードイン領域に記録する記録操作が終了した後、上記エジェクトによる上記装着された光磁気ディスクのエジェクト動作を行って動作を終了する制御手段を備えているディスク記録再生装置。」
　
さらに蓋体のロック機構の周知例として、
２．実願昭６２−１３７９３２号（実開昭６４−４２５４１号）のマイクロフィルム（以下、「刊行物２」という。）
３．特開平１−１５１０４９号公報（以下、「刊行物３」という。）
　
イジェクト機構の周知例として、
４．実願昭６１−８７５０４号（実開昭６２−１９８５５５号）のマイクロフィルム（以下、「刊行物４」という。）
５．特開昭６３−８７８５３号公報（以下、「刊行物５」という。）を引用した。
　
［３］対比・判断
（１）本願発明１と刊行物１〜５の発明を対比すると、
　刊行物１〜５の発明には、本願発明１の構成に欠くことができない事項の一部である以下の点を備えていない。
「記録開始操作ボタンが操作されることによって上記ロック手段による上記蓋体の保持が解除されることを阻止するように操作され、上記記録手段による記録動作中、上記ロック手段による上記蓋体の保持が解除されることを阻止する阻止手段」そして、本願発明１は上記の点を具備することにより、明細書記載の効果を奏するものである。
　
（２）本願発明２と引用例１の発明を対比すると、
　引用例の発明の「光磁気ディスク」「演奏信号等のデータ」「プログラム領域」「リードイン領域」「光学ヘッド及び磁石」「ＲＥＣキー」「ＳＴＯＰキー」「エジェクト」は、
　本願発明２の「記録可能な光ディスク」「情報信号」「第１の記録領域」「第２の記録領域」「記録手段」「記録操作ボタン」「停止操作ボタン」「イジェクト」に相当し、
　引用例の発明の「エジェクト」は、光ディスクをエジェクトする部材を有していることを開示しており、「エジェクト手段」を備えた「ディスク記録再生装置」であって、引用例の発明の「エジェクトする手段」「ディスク記録再生装置」は、それぞれ本願発明２の「イジェクト手段」「光ディスクの記録装置」に相当し、両者は、以下の点で一致するが、
「情報信号が記録される第１の記録領域と当該第１の記録領域に記録された情報信号の目録情報が記録される第２の記録領域を有する記録可能な光ディスクが装着され、装着された光ディスクに情報信号の記録を行う記録手段と、
　上記装着された光ディスクのイジェクトを行うイジェクト手段と、
　上記記録手段による上記装着された光ディスクへの記録動作を開始させる記録操作ボタンと、
　上記記録手段による上記装着された光ディスクへの記録動作を停止させる停止操作ボタンと、
　上記記録開始操作ボタン及び上記停止操作ボタンによる操作に基づいて上記記録手段による上記装着された光ディスクへの記録動作を制御し、上記記録手段による記録動作中及び上記停止操作ボタンが操作されることによって上記記録手段による上記装着された光ディスクの第１の記録領域への情報信号の記録を終了させた後、上記記録手段による上記第１の記録領域に記録された情報信号に対する目録情報を上記第２の記録領域に記録する記録が終了した後、イジェクトがなされる光ディスクの記録装置。」
　本願発明２の構成に欠くことができない事項である、イジェクト手段による装着された光ディスクのイジェクト動作を阻止する阻止手段を有し、この阻止手段は記録操作ボタンが操作されることによって操作され、記録動作中及び情報信号の記録を終了させた後、目録情報の記録終了までの期間、イジェクト手段による光ディスクのイジェクトを阻止するように阻止手段を制御し、目録情報の記録が終了した後に阻止手段によるイジェクト手段の阻止状態を解除する制御手段を、引用例１の発明は具備していない。また、引用例２〜５の発明も、上記構成を具備していない。
　なお、刊行物２の実願昭６２−１３７９３１号（実開昭６４−４２５４１号）のマイクロフィルムには、
「すなわち、このイジェクトボタン制限レバー１６の他方の端部がイジェクトボタン５の下側に嵌り込んでイジェクト機構６に規制が掛るときのレーザピックアップ３の位置状態は、ＣＤ１のＴＯＣエリアからデータエリアにかけて情報が記録されている区間内にある状態である。
　この区間内にレーザピックアップ３が位置する状態において、イジェクト機構６の動作が規制される。
　次に、ＣＤ１に対してレーザピックアップ３が情報の読み出しを終了したときや、ストップボタン（図示せず）がおされた場合、レーザピックアップ３がＣＤ１のＴＯＣエリア側に移動される。このとき、レーザピックアップ３の突設部８のピン８ａがイジェクトボタン制限レバー１６の一方の端部を押し付けるので、イジェクトボタン制限レバー１６は軸１５を介して回動され、他方の端部がイジェクトボタン５の下側から抜けてこのイジェクトボタン５を開放する。
　このように、ＣＤ１に対してレーザピックアップ３が情報の読みだしを行っている最中には、イジェクト機構６が規制されているので、誤ってイジェクトボタンが５が押されても、イジェクト機構６が動作しない。」（第８頁第６行〜第９頁第９行）と、レーザピックアップがイジェクト制限レバーを規制した構成が記載されているが、記録再生ボタンに関連していない点で、本願発明２の構成と相違し、そして、本願発明２は上記の構成を具備することにより、明細書に記載の効果を奏するものである。
　
　したがって、本願発明１，２は上記刊行物１〜４に記載されたそれぞれの発明に基づいて、当業者が容易に発明をすることができたものとすることができない。
　
　そして、原審の拒絶理由を検討しても、その理由により拒絶することはできない。
　
［４］むすび
　以上のとおり、本願発明１，２は、原審及び当審の拒絶の理由によって、拒絶すべきものとすることはできない。
　また、他に本願を拒絶すべき理由を発見しない。
　よって、結論のとおり審決する。